(57)【要約】【解決手段】  ピンセット１は、相互に開閉可能に連結された２本の脚部２、３を有しており、各脚部の先端部に設けられた把持部４、５を相互に接離させて物品を把持することができるようになっている。一方の脚部３に、両把持部４、５が相互に対向する側とは反対側に突出する密着保持部材６を設けてあり、この密着保持部材６は平面状の密着保持面６ａを有している。上記ピンセット１により、シャーレ内で培養されたシート状の培養細胞を把持して吊下する際には、両把持部４、５でシート状の培養細胞の端部を把持したら、ピンセットを起こしながら密着保持面６ａをシート状の培養細胞に当接させて接着させることができる。【効果】  上記平面状の密着保持面６ａによってその部分のシート状の培養細胞を広い面積で展開した状態に保持することができるので、シート状の培養細胞の吊下された他の部分が重なり合って接着してしまうことを効果的に防止することができる。【選択図】  図２
2009136982.tif 000002
【特許請求の範囲】
【請求項１】
相互に開閉可能に連結された２本の脚部を有し、各脚部の先端部に設けられた把持部を相互に接離させて物品を把持するピンセットにおいて、
一方の脚部に、両把持部が相互に対向する側とは反対側に突出する密着保持部材を設け、該密着保持部材は平面状の密着保持面を有していることを特徴とするピンセット。
【請求項２】
上記密着保持面は脚部の長手方向に対してほぼ９０度の角度で設けられていることを特徴とする請求項１に記載のピンセット。
【請求項３】
上記密着保持面は中央部に貫通孔を有するリング状に形成されていることを特徴とする請求項１又は請求項２に記載のピンセット。
【請求項４】
上記一方の脚部に設けられた密着保持部材は、他方の脚部に対して分離可能となっており、上記密着保持部材は係合手段を介して上記他方の脚部に対して着脱自在に取り付けられていることを特徴とする請求項１ないし請求項３のいずれかに記載のピンセット。
【請求項５】
上記係合手段は、上記一方の脚部における密着保持部材が設けられた先端部側の脚部とその反対側の基端部側の脚部との間に設けられており、上記密着保持部材が設けられた先端部側の脚部は係合手段を介して基端部側の脚部に着脱自在に取り付けられていることを特徴とする請求項４に記載のピンセット。
【請求項６】
上記係合手段は、上記一方の脚部の基端部と他方の脚部の基端部との間に設けられており、上記密着保持部材が設けられた一方の脚部の基端部は係合手段を介して他方の脚部の基端部に着脱自在に取り付けられていることを特徴とする請求項４に記載のピンセット。
【請求項７】
上記密着保持部材が設けられた脚部は、密着保持部材の大きさを異ならせた複数種が備えられており、該複数種の脚部からいずれか一方の脚部が選択されて上記他方の脚部に対して着脱自在に取り付けられていることを特徴とする請求項５又は請求項６に記載のピンセット。
【発明の詳細な説明】
【技術分野】
【０００１】
本発明はピンセットに関し、より詳しくは培養細胞などのシート状の培養細胞を把持するのに好適なピンセットに関する。
【背景技術】
【０００２】
従来周知のように、ピンセットは、相互に開閉可能に連結された２本の脚部を有し、各脚部の先端部に設けられた把持部を相互に接離させて物品を把持するようになっている。
そして上記先端部の把持部は、一般に、先端側が若干窄まった長方形状や細長い三角形状となっている。
また従来、シート状の培養細胞や止血に用いられるシート状のフィリブ、タココンブ、ネーベールなどを容易に把持できるようにするために、上記把持部の形状をコ字形やＹ字形として、より広い面積で上記シート状の培養細胞などを把持できるようにしたものが提案されている（特許文献１）。
【特許文献１】特開２００７−１５９８２３号公報
【発明の開示】
【発明が解決しようとする課題】
【０００３】
ところで、例えばシャーレ内で培養されたシート状の培養細胞を把持して吊下する際には、先ずピンセットの一方の把持部をシャーレとシート状の培養細胞との間に挿入し、その状態で両把持部でシート状の培養細胞の端部を把持したら、シート状の培養細胞をその端部から徐々にシャーレから取り出して吊下させることになる。
従来周知のピンセットを用いた場合には、シート状の培養細胞の端部を把持して吊下した際に、その把持部で把持された端部から離れている他の部分が相互に近接し易くなり、その部分が重なり合って相互に接着してしまうと、再びシート状に展開するのが煩雑な作業となってしまう。
他方、上記特許文献１に開示されているピンセットを用いた場合には、シート状の培養細胞の端部を把持して吊下した際に、その端部を広い面積で展開させた状態で把持することができるので、その把持部で把持された端部から離れている他の部分が重なり合って接着してしまうことを効果的に防止することができる。しかしながらその反面、把持部の面積が大きくなっているので、その把持部をシャーレとシート状の培養細胞との間に挿入することが困難となり、特にこの欠点は、シート状の培養細胞の重なり合いを防止するために把持部の面積を大きくすればするほど、顕著になっていた。
本発明は上述した事情に鑑み、把持部をシャーレとシート状の培養細胞との間に挿入することが容易で、しかもシート状の培養細胞の重なり合いを効果的に防止することが可能なピンセットを提供するものである。
【課題を解決するための手段】
【０００４】
すなわち本発明は、相互に開閉可能に連結された２本の脚部を有し、各脚部の先端部に設けられた把持部を相互に接離させて物品を把持するピンセットにおいて、
一方の脚部に、両把持部が相互に対向する側とは反対側に突出する密着保持部材を設け、この密着保持部材は平面状の密着保持面を有していることを特徴とするものである。
【発明の効果】
【０００５】
上記構成によれば、両把持部でシート状の培養細胞の端部を把持したら、両把持部が相互に対向する側とは反対側に密着保持部材が突出しているので、ピンセットを起こしながら、上記密着保持部材の平面状の密着保持面をシート状の培養細胞に当接させて該密着保持面にシート状の培養細胞を接着させればよい。
この状態となったら、シート状の培養細胞をその端部から徐々にシャーレから引き上げて吊下させればよく、この状態では両把持部で把持されたシート状の培養細胞の端部の隣接部分は、平面状の密着保持面によって広い面積で展開された状態に保持されることになる。したがってこれにより、シート状の培養細胞の吊下された他の部分が重なり合って接着してしまうことを効果的に防止することができる。
特に本発明においては、上記把持部の形状や面積と、平面状の密着保持面の形状や面積とは、それぞれ別個に設定することができるので、把持部の形状や面積をシャーレとシート状の培養細胞との間に挿入するのが容易な形状や面積に設定するのと同時に、平面状の密着保持面の形状や面積を、シート状の培養細胞の吊下された他の部分が接着して重なり合ってしまうことを効果的に防止できる形状や面積に設定することができ、これによって、把持部をシャーレとシート状の培養細胞との間に挿入することが容易で、しかもシート状の培養細胞の重なり合いを効果的に防止することが可能なピンセットを提供することができる。
【発明を実施するための最良の形態】
【０００６】
以下図示実施例について本発明を説明すると、図１ないし図３において、ピンセット１は、基端部が相互に開閉可能に連結された２本の脚部２、３を有しており、各脚部２、３のそれぞれの先端部に、相互に接離可能な把持部４、５を設けている。
上記ピンセット１は金属又は合成樹脂で製造してあり、上記両把持部４、５は、ピンセット１が有するそれ自体の弾性により通常は所定距離だけ離隔した状態に保持されているが、上記弾性に抗して指で脚部２、３を相互に近接する方向に押圧することにより、両把持部４、５を互いに当接させて、両者間で物品を把持することができるようになっている。
このとき上記脚部２、３の各先端部側は、両把持部４、５が接近する方向にそれぞれくの字形に屈曲させてあり（図１参照）、それによって脚部２、３を相互に近接する方向に押圧した際に、両把持部４、５のみが互いに当接するようにしてある。
【０００７】
図示実施例では、図示しないシート状の培養細胞などを効率的に把持するために、一方の把持部４は、脚部２の長手方向に対して横方向に幅を広げた形状を有している。すなわち一方の脚部２の先端部側は基端部側に比較してその幅を狭くしてあり、かつ該脚部２の先端部に設けた把持部４はその脚部２の先端部の幅よりも広くして、該脚部２の基端部側の幅程度としてある。
これにより、脚部２の先端部は全体としてＴ字形となっており（図２参照）、相対的に幅広い把持部４によってシート状の培養細胞を破損させることなく把持することができるようにすると同時に、シャーレとシート状の培養細胞との間に挿入するのが容易な大きさに設定してある。
なお、把持部４は図示したＴ字形に限定されるものではなく、当該把持部４の形状や面積は、シャーレとシート状の培養細胞との間に挿入するのが容易な形状や面積に設定されていればよく、例えば一般的なピンセットのように先端側が若干窄まった長方形状や細長い三角形状であってもよい。
【０００８】
上記把持部４に対し、他方の把持部５は、これを設けた脚部３の幅と同等の幅のままで設けられている。すなわち、他方の脚部３の先端部側は基端部側の幅程度としてあり、したがって該脚部３の先端部に設けた把持部５もその脚部３の先端部の幅のままとなっている。これにより、両把持部４、５の幅をほぼ同一の幅として、両把持部４、５でシート状の培養細胞をその表裏面からほぼ同一の幅で、該シート状の培養細胞を破損することなく把持することができるようにしてある。
【０００９】
上記把持部５の外側には、すなわち両把持部４、５が相互に対向する側とは反対側には、その反対側に突出する薄い平板状の密着保持部材６を設けてあり、この密着保持部材６は上記把持部５に連続する隣接した位置に、平面状の密着保持面６ａを備えている。そしてこの平面状の密着保持面６ａに、両把持部４、５で把持したシート状の培養細胞を該シート状の培養細胞自体の接着力や培養液などの表面張力を利用して接着させることにより、シート状の培養細胞を安定して展開した状態で保持することができるようにしてある。
図示実施例では、上記密着保持面６ａは脚部３の長手方向に対してほぼ９０度の角度をなすように設けられており、かつリング状に形成されている。上記密着保持面６ａをリング状に形成することにより、その中央の貫通穴６ｂを介してシート状の培養細胞の密着保持面６ａに対する接着状態を容易に確認することができるようにしてある。
【００１０】
さらに図示実施例では、上記密着保持面６ａをシート状の培養細胞の大きさに合わせて、異なる大きさのものに交換することができるようにしてある。すなわち密着保持面６ａを有する脚部３は、基端部３ａの脚部と先端部３ｂの脚部とに着脱自在に分離できるようにしてあり、そのために両者間に係合手段７を設けてある。
上記係合手段７は、図示実施例では密着保持面６ａを設けた先端部３ｂ側に１対の係合爪７ａを備えており、各係合爪７ａを基端部３ａ側に設けた係合部７ｂに係合させることによって、基端部３ａと先端部３ｂとを一体に連結することができるようにしてある。
上記先端部３ｂの基端部３ａ側には、その両側に２本のスリット７ｃを形成してあり、両スリット７ｃの間を断面方形の本体部７ｄとし、各スリット７ｃの外側部分をそれぞれ操作部７ｅとしてある。上記係合爪７ａは各操作部７ｅの先端部に各係合爪７ａが外側を向くように設けてあり、各操作部７ｅを本体部７ｄ側に押圧することにより各操作部７ｅの弾性変形により係合爪７ａを本体部７ｄ側に移動させて、上記係合部７ｂとの係合を解除させることができるようにしてある。
【００１１】
上記本体部７ｄの先端部には、基端部３ａ側に突出する断面方形の連結突起７ｆを形成してあり、この連結突起７ｆと本体部７ｄとの間に係合段部７ｇを形成してある。
他方、基端部３ａ側には上記連結突起７ｆを受け入れる連結孔７ｈを形成してあり、連結突起７ｆを連結孔７ｈに密嵌合させながら係合段部７ｇを基端部３ａ側の端面に当接させることにより、基端部３ａと先端部３ｂとその位置で連結することができるようにしてある。この際、上記係合爪７ａは基端部３ａ側に入り込んで係合部７ｂに係合し、それによって基端部３ａと先端部３ｂとを一体に連結するようになる。
【００１２】
以上の構成において、上記ピンセット１でシート状の培養細胞を把持する際には、先ず脚部２に設けた一方の把持部４によりシャーレなどに密着しているシート状の培養細胞の裏面側（下側）の縁部を該シャーレから剥がしながら、その間に挿入する。上記把持部４をシート状の培養細胞とシャーレとの間に挿入する際には、他方の把持部５及び密着保持面６ａはシート状の培養細胞の表面側（上側）でそれから離れた位置に位置しており、シート状の培養細胞と接触することはない。
上記把持部４をシート状の培養細胞の裏面側の適切な位置に挿入したら、密着保持面６ａをシート状の培養細胞の表面に接触させないようにピンセット１を傾けた状態のまま指で脚部２、３を相互に近接する方向に押圧することにより、把持部４、５で上記シート状の培養細胞をその表裏面から把持することができる。
次に、把持部４、５でシート状の培養細胞を把持したら、ピンセット１を起こして密着保持面６ａをシート状の培養細胞の表面に接触させる。この際、密着保持面６ａの貫通穴６ｂによりシート状の培養細胞と密着保持面６ａとの密着状態を確認することができる。密着保持面６ａをシート状の培養細胞の表面に接触させてシート状の培養細胞の接着力で該シート状の培養細胞を密着保持面６ａに吸着させたら、シート状の培養細胞をシャーレから剥離させればよい。
この状態では、シート状の培養細胞は相対的に広い面積を有している密着保持面６ａに密着保持されているので、該密着保持面６ａによってシート状の培養細胞を広げた状態に保持することが容易となり、これによりシート状の培養細胞が重なり合って接着してしまうことを効果的に防止することができる。
また、シャーレ上で培養したシート状の培養細胞は、シャーレと当接した面の方が患部との生着性が高い特徴がある。本発明のピンセットを用いて密着保持面６ａに密着保持されたシート状の培養細胞の下面は、患部との生着性が高い面であることを、作業者は容易に認識することができる。
【００１３】
また、把持すべきシート状の培養細胞の大きさに応じて、上記密着保持面６ａを異なる大きさのものに交換する際には、先ず係合手段７の各操作部７ｅを本体部７ｄ側に押圧して各係合爪７ａを係合部７ｂから離脱させ、この状態のまま先端部３ｂ側の連結突起７ｆを基端部３ａ側の連結孔７ｈから引き抜けば、基端部３ａの脚部から先端部３ｂの脚部及び密着保持部材６を分離させることができる。
そして次に、種々の大きさの密着保持面６ａの中から必要な大きさの密着保持面６ａを有する先端部３ｂを選択したら、当該先端部３ｂに設けた係合手段７の連結突起７ｆを連結孔７ｈに挿入するとともに、係合手段７の係合段部７ｇを基端部３ａ側の端面に当接させる。この際、各係合爪７ａは各係合部７ｂによって押し広げられながら各係合部７ｂを越えるようになる。そして係合段部７ｇが基端部３ａ側の端面に当接すると、これと同時に各係合爪７ａが各係合部７ｂを越えて自己の弾性により各係合部７ｂにそれぞれ係合するので、その状態で密着保持面６ａを有する先端部３ｂ側の脚部が基端部３ａ側の脚部に一体的に連結されることになる。
【００１４】
さらに、シート状の培養細胞を患部に移植又は他の容器に移動する際には、把持したシート状の培養細胞を患部に載置した後、上記係合手段７の係合を解除することにより、基端部３ａの脚部から先端部３ｂの脚部及び密着保持部材６を分離させて使用することができる。これにより、シート状の培養細胞を患部に移植又は他の容器に移動する際には、ピンセット１が邪魔にならなくなり、便利である。そして、作業者は、分離した基端部３ａ側のピンセット１を用いて、シート状の培養細胞を押さえながら、先端部３ｂの脚部及び密着保持部材６からシート状の培養細胞をゆっくり剥がすことにより、次の作業（例えば、移植）を行うことができる。
【００１５】
図５は本発明の第２実施例を示したもので、上記実施例では係合手段７を一方の脚部３における密着保持部材６が設けられた先端部３ｂ側の脚部とその反対側の基端部３ａ側の脚部との間に設けていたが、本実施例は係合手段８を一方の脚部２の基端部と他方の脚部３の基端部との間に設けたものである。
本実施例の係合手段８は、一方の脚部３の基端部に該脚部３の長手方向に沿って形成した係合溝８ａと、他方の脚部２の基端部に該脚部２の長手方向に沿って形成した図示しない係合突起とを備えている。上記係合溝８ａは例えば断面台形やＴ字状に形成されており、その一端は脚部３の基端部側に開口している。
他方の図示しない係合突起は、上記係合溝８ａの断面形状に一致した断面を有しており、該係合突起を係合溝８ａに上記開口側から係合させることにより、両脚部２、３を一体に着脱可能に連結することができるようにしてある。
また上記係合突起と係合溝８ａとを正規の連結位置で係合させた際に、両脚部２、３が一体に連結保持されるように、一方の脚部３の基端部に半球状の係合凸部８ｂを２つ設けてあり、他方の脚部２の基端部に図示しない半球状の係合凹部を２つ設けてある。
これら係合凸部８ｂと係合凹部は上記係合突起と係合溝８ａとを正規の連結位置で係合させた際に相互に係合するようになり、それによって２つの脚部２、３を安定して一体に連結保持するようになっている。他方、２つの脚部２、３を分離させる際には、係合凸部８ｂと係合凹部との係合を強制的に解除させながら、係合突起を係合溝８ａから離脱させればよい。
本実施例においても上記実施例と同様に、密着保持部材６が設けられた脚部３は、密着保持部材６の大きさを、すなわち密着保持面６ａの大きさを異ならせた複数種が備えられており、その複数種の脚部３からいずれか一の脚部が選択されて、上記係合手段８を介して他方の脚部２に着脱自在に取り付けられるようになる。
【００１６】
なお、上記実施例では密着保持面６ａは脚部３の長手方向に対してほぼ９０度の角度をなしているが、ほぼ９０度の角度に限定されるものではない。例えば上記長手方向に対して３０〜１５０度の範囲内とすることができる。
また、密着保持面６ａの形状はリング状に限定されるものではない。例えば方形であっても、台形状であっても、或いは扇状であってもよい。
さらに上記密着保持面６ａは平面状となっているが、完全に平面でなくてもよい。例えば把持部５から遠ざかるに従って基端部３ａ側に向けて湾曲した湾曲面であってもよく、密着保持面６ａの平面状とはそのような湾曲面を含む概念である。
また、上記密着保持部６を透明若しくは半透明の材質で製造してもよい。
さらに、シート状の培養細胞には、培養皮膚、培養上皮及び培養真皮だけではなく、例えば、シート形状に培養した、角膜細胞、網膜細胞、骨膜細胞並びにその他付着性細胞も含まれる。
【図面の簡単な説明】
【００１７】
【図１】本発明の第１実施例を示す正面図。
【図２】図１の斜視図。
【図３】図１の左側面図。
【図４】一方の脚部３における先端部３ｂの脚部を示す斜視図。
【図５】本発明の第２実施例における分解斜視図。
【符号の説明】
【００１８】
１  ピンセット                  ２、３  脚部
３ａ  基端部                    ３ｂ  先端部
４、５  把持部                  ６  密着保持部材
６ａ  密着保持面                ６ｂ  貫通孔
７、８  係合手段
【図１】
2009136982.tif 000003
【図２】
2009136982.tif 000004
【図３】
2009136982.tif 000005
【図４】
2009136982.tif 000006
【図５】
2009136982.tif 000007
【手続補正書】
【提出日】平成20年2月19日(2008.2.19)
【手続補正１】
【補正対象書類名】手続補正書
【補正対象項目名】手続補正１
【補正方法】削除
【補正の内容】